(57)【要約】      （修正有）【課題】螺旋状ケーブルハンガーを支持線に沿って架設する際、該ハンガーが支持線より離脱しにくい先導具を提供する。【解決手段】螺旋状ケーブルハンガー３の先端に着脱自在に組付ける取付手段を備えた先導具Ａの主体の先端面に、中間部を屈曲した屈曲棒状の先導杆を突設する。そして、該先導杆の先端部９を前記螺旋状ケーブルハンガーの螺旋形の外側に配置する。該ケーブルハンガーを捻回させつつ、支持線または自己支持型ケーブルに巻き付けて、電柱間に架設する。【選択図】図３
2004297911.tif 000002
【特許請求の範囲】
【請求項１】
螺旋状ケーブルハンガーの先端に着脱自在に組付ける取付手段を備えた先導具主体の先端に、中間部を屈曲した屈曲棒状の先導杆を突設し、該先導杆の先端部を前記螺旋状ケーブルハンガーの螺旋形の外側に配置した、螺旋状ケーブルハンガーの架設用先導具。
【発明の詳細な説明】
【０００１】
【産業上の利用分野】
本発明は、支持線（ここでは所謂メッセンジャーワイヤーや自己支持型ケーブルを意味する）にケーブルを吊下させるに際し、前記支持線に予め螺旋状ケーブルハンガーを架設するために用いる螺旋状ケーブルハンガー用の支持線吊下用の先導具に関するものである。
【０００２】
【従来の技術】
螺旋状ケーブルハンガーを支持線に吊下させるには、支持線に対する巻付け作業、ケーブルハンガー同士の連結作業そして支持線に沿う押出し作業を相前後して行うのであるが、押出し作業時に螺旋状ケーブルハンガー（最先端の）の先端に先導具を取付け、該先導具の存在によって支持線に沿う円滑な移動を期待するようにしている。そして、先導具として、螺旋状ケーブルハンガーの先端に該先端を嵌挿して取付ける主体部と該先導具主体の先端に設けた渦巻（螺旋）状の先導部とで構成したものがある（例えば、特許文献１）。
【０００３】
【特許文献１】
特許第３２０３５５６号公報（第３頁、図９）
【０００４】
【発明が解決しようとする課題】
前記従来例は、渦巻状の先導部を支持線に懸吊させて螺旋状ケーブルハンガーを先導して該ハンガーが支持線より外れないようにしたものではあるが、電柱間に架設したことによって支持線に生じるカテナリ曲線の関係で螺旋状ケーブルハンガー（最先端の）の先端が支持線より離脱することがあり、離脱に際しては高所作業車を用いて対処するなど煩雑な作業を余儀なくされている。
【０００５】
本発明は支持線に生じるカテリナ曲線や分岐線の存在等を原因とする離脱を可及的に回避できる先導具を提供すべく創案したものである。
【０００６】
【課題を解決するための手段】
螺旋状ケーブルハンガーの先端に着脱自在に組付ける取付手段を備えた先導具主体の先端面に、中間部を屈曲した屈曲棒状の先導杆を突設し、該先導杆の先端部を前記螺旋状ケーブルハンガーの螺旋形の外側に配置した構成とする。
【０００７】
【発明の実施の形態】
図面は本発明に係る螺旋状ケーブルハンガーの架設用先導具の一実施形態を示し、図１は螺旋状ケーブルハンガー（以下、単にハンガーと称する）に取付けた状態の正面図、図２は図１の平面図、図３は使用状態を示す説明図、図４は図３の要部拡大正面図、図５は他の使用状態（自己支持型ケーブルとの関係）を示す拡大正面図である。
【０００８】
図中、Ａは先導具で、先導具Ａは先導具主体１の先端面に、中間部を屈曲して直棒状の先部２ａと直棒状の後部２ｂとから成る屈曲棒状の先導杆２を突設して構成したもので、先導具主体１に設けた取付手段によってハンガー３（最先の）の先端に着脱自在に取付けて用いるものである。
【０００９】
実施形態の取付手段は、先導具主体１に後端面開口の受入穴４を設け、該受入穴４に前記ハンガー３の先端に設けた雄連結子５の二又に分岐した嵌挿部分６をその弾性変形を利用して嵌挿し、該嵌挿部片６の係止爪６ａを前記受入穴４の側壁にして前記先導具主体１に設けた窓口７に係止させて先導具主体１とハンガー３を互いに組付けるようにしたものである（公知）が、実施形態の構成に限定する必要がないことはいうまでもない。
【００１０】
実施形態の場合は、先導具主体１と同様にハンガー３側に備えた雄連結子５の嵌挿部片６を着脱自在に嵌着する受入穴や窓口を備えた雌連結子を、ハンガー３の後端側に設け、該雌連結子に他のハンガーの前記構成に係る雌連結子を連結するようにしてハンガーを順次連結するようにしてあり、雄連結子５は先導具主体１又は他のハンガーの雌連結子に選択的に組付け、連結できるようになっている。
【００１１】
先導具主体１の先端面に突設した先導杆２は棒状金属杆を屈曲して屈曲棒状にして構成したもので、屈曲部８を境界とする後部２ｂ側を、前記ハンガー３の螺旋形の延長上に存するように配し、先部２ａを後部２ｂに対して角度を持たせて先端に設けた樹脂製の球状先端子９がハンガー３の螺旋形の外側に位置するように配置したものである（図４、図５）。
【００１２】
しかして、前記の取付手段により先導具Ａを取付けたハンガー３を、一方の電柱近傍においてメッセンジャーワイヤー２１又は自己支持型ケーブル２２に巻付け、次いで、該最先端のハンガー３の末端に設けた雌連結子に次段のハンガーの先端に設けた雄連結子において連結し、該ハンガーを捻回させつつメッセンジャーワイヤー２１又は自己支持型ケーブル２２に巻付け、かつ、他の一方の電柱側へと送り出し、これらの操作の繰り返しによりハンガーは連結状態で支持線に支持され、電柱間に架設される。
【００１３】
そして、この架設作業中、最先のハンガー３の先端に配した先導具Ａは、前記捻回操作により先導杆２においてハンガー３側の回転軌跡（円形の）より大径な回転軌跡（円形の）を描いて回転し、該先導杆２の先端はハンガーの螺旋外径の外側に位置することによりハンガーの回転軌跡より大径な回転軌跡を描いて、ハンガーを支持線すなわち、メッセンジャーワイヤー２１又は自己支持型ケーブル２２に沿って先導する。
【００１４】
なお、先導具Ａの先端子９を球状形にしたのはその形態により物品（例えば、支持線の中間部に配設される分岐金具）に引っ掛りにくくしたためで、図５に示すように、支持線が自己支持型ケーブル２２の場合は該ケーブル２２の本体部２２ａと支持部２２ｂおよび頸部２２ｃが成す凹入縁の径より大径な球状形であることにより該凹入縁に対する引っ掛りを確実に防ぐこともできる。もっとも先端子９は球状形以外の形に差し支えがあるとは必ずしもいえない。
【００１５】
【発明の効果】
本発明は、前記の通り、先導杆の先端が螺旋状ケーブルハンガーの螺旋外径の外側に配置したものであるから、該先端は螺旋状ケーブルハンガーが描く回転軌跡より大径な回転軌跡を描くことになり、その分、回転操作に伴う支持線から離脱しにくくなり、カテナリ曲線にも対応して、支持線より離脱しにくい先導具を提供できる。
【図面の簡単な説明】
【図１】螺旋状ケーブルハンガーに取付けた状態の正面図。
【図２】図１の平面図。
【図３】使用状態を示す説明図。
【図４】図３の要部拡大正面図。
【図５】他の使用状態を示す正面図
【符号の説明】
１    先導具主体
２    先導杆
３    螺旋状ケーブルハンガー
【図１】
2004297911.tif 000003
【図２】
2004297911.tif 000004
【図３】
2004297911.tif 000005
【図４】
2004297911.tif 000006
【図５】
2004297911.tif 000007